(57)【要約】      （修正有）【課題】ヘッドを交換可能で環境保護効果を有し、コストを節約し、ヘッドをしっかりと位置決めできるヘッド交換可能なエコロジー歯ブラシの提供。【解決手段】ハンドル１１の前端にネジ部１１１を設け、ヘッド１２のハンドル前端との接続位置にネジ孔１２１を設け、ヘッドとハンドルを螺接方式で一体に組合せ可能とし、ヘッドの毛の変形損壊時に新しいヘッドに交換可能とし、且つヘッドのネジ孔の孔口及びハンドル前端のネジ部両側のフランジ面上に対応する位置決め凸部１２２と位置決め凹部１１３を設け、ヘッドとハンドルの螺合後に位置決め凸部と位置決め凹部の組合せにより、ヘッドを位置決めして脱落を防止した。【選択図】図１
0003136872.tif 000002
【実用新案登録請求の範囲】
【請求項１】
ヘッドとハンドルで構成されたヘッド交換可能なエコロジー歯ブラシにおいて、
歯ブラシのハンドルの前端に、ネジ部が設けられ、並びにヘッドのハンドル前端のネジ部に対応する位置にネジ孔が設けられ、ヘッドとハンドルが螺接方式で一体に組み合わされ、ヘッドの毛が変形、損壊した時に、ヘッドを交換できることを特徴とする、ヘッド交換可能なエコロジー歯ブラシ。
【請求項２】
前記ヘッドのネジ孔の孔口及びハンドル前端のネジ部の両側のフランジ面上に、それぞれ対応する位置決め凸部と位置決め凹部が設けられ、ヘッドとハンドルの螺接後に位置決め凸部と位置決め凹部の組合せによりヘッドが位置決めされて脱落を発生しないことを特徴とする、請求項１記載のヘッド交換可能なエコロジー歯ブラシ。
【請求項３】
ヘッドとハンドルで構成されたヘッド交換可能なエコロジー歯ブラシにおいて、
歯ブラシのハンドルの前端に、中央に弾性部を具えた接続部が設けられ、並びにヘッドの、ハンドル前端の接続部に対応する位置に、前述の接続部が挿入される接続孔が設けられ、ヘッドとハンドルが挿嵌方式で一体に組み合わされることを特徴とする、ヘッド交換可能なエコロジー歯ブラシ。
【請求項４】
前記弾性部上に位置決め凸塊が設けられ、ヘッドとハンドルが一体に組み合わされてハンドル前端の接続部がヘッドの接続孔に挿入される時、該弾性部上の位置決め凸塊がヘッドの接続孔に設けられた位置決め孔に係合し位置決めを達成し、並びにヘッドの毛が変形、損壊して新しいヘッドに交換する時、位置決め凸塊を押圧してそれを内縮させ位置決め孔より離脱させれば、ヘッドを取り外して交換できることを特徴とする、請求項３記載のヘッド交換可能なエコロジー歯ブラシ。
【請求項５】
ヘッドとハンドルで構成されたヘッド交換可能なエコロジー歯ブラシにおいて、
歯ブラシのハンドルの前端に、一組の弾性を具えた接続部が設けられ、並びにヘッドの、ハンドル前端の接続部に対応する位置に、前述の接続部が挿入される接続孔が設けられ、ヘッドとハンドルが挿嵌方式で一体に組み合わされることを特徴とする、ヘッド交換可能なエコロジー歯ブラシ。
【請求項６】
前記一組の弾性を具えた接続部に、それぞれ位置決め凸塊が設けられ、ヘッドとハンドルが一体に組み合わされてハンドル前端の接続部がヘッドの接続孔に挿入される時、該一組の弾性を具えた接続部に設けられた位置決め凸塊がヘッドの接続孔に設けられた位置決め孔に係合し、位置決めを達成し、並びにヘッドの毛が変形、損壊して新しいヘッドに交換する時、位置決め凸塊を押圧してそれを内縮させ位置決め孔より離脱させれば、ヘッドを取り外して交換できることを特徴とする、請求項５に記載のヘッド交換可能なエコロジー歯ブラシ。
【考案の詳細な説明】
【技術分野】
【０００１】
本考案は一種のヘッド交換可能な歯ブラシに係り、ハンドルの前端にネジ部を設け、ヘッドのハンドル前端との接続位置にネジ孔を設け、ヘッドとハンドルを螺接方式で一体に組合せ可能とし、ヘッドの毛の変形損壊時に新しいヘッドに交換可能とし、これにより、ヘッドを交換可能で、環境汚染を減らし、費用を節約する目的を達成するエコロジー歯ブラシに関する。
【背景技術】
【０００２】
周知の歯ブラシの設計は、電動歯ブラシのほかは、そのほとんどが全体を一体成形した形態のものであり、これにより、周知の歯ブラシは毛が変形或いは損壊した時に歯ブラシごと廃棄しなければならず、現在市販されている歯ブラシはその絶対多数がプラスチック材料で製造され、且つ一般に歯ブラシの使用寿命は最長で約一カ月で交換が必要であり、このため大量に廃棄される歯ブラシが環境汚染を形成し、また使用者の歯ブラシ購入のコスト負担を増した。
【考案の開示】
【考案が解決しようとする課題】
【０００３】
本考案は上述の周知の歯ブラシの実用上の問題及び改善すべき欠点を鑑み、一種のヘッド交換可能なエコロジー歯ブラシを提供する
【課題を解決するための手段】
【０００４】
請求項１の考案は、ヘッドとハンドルで構成されたヘッド交換可能なエコロジー歯ブラシにおいて、
歯ブラシのハンドルの前端に、ネジ部が設けられ、並びにヘッドのハンドル前端のネジ部に対応する位置にネジ孔が設けられ、ヘッドとハンドルが螺接方式で一体に組み合わされ、ヘッドの毛が変形、損壊した時に、ヘッドを交換できることを特徴とする、ヘッド交換可能なエコロジー歯ブラシとしている。
請求項２の考案は、前記ヘッドのネジ孔の孔口及びハンドル前端のネジ部の両側のフランジ面上に、それぞれ対応する位置決め凸部と位置決め凹部が設けられ、ヘッドとハンドルの螺接後に位置決め凸部と位置決め凹部の組合せによりヘッドが位置決めされて脱落を発生しないことを特徴とする、請求項１記載のヘッド交換可能なエコロジー歯ブラシとしている。
請求項３の考案は、ヘッドとハンドルで構成されたヘッド交換可能なエコロジー歯ブラシにおいて、
歯ブラシのハンドルの前端に、中央に弾性部を具えた接続部が設けられ、並びにヘッドの、ハンドル前端の接続部に対応する位置に、前述の接続部が挿入される接続孔が設けられ、ヘッドとハンドルが挿嵌方式で一体に組み合わされることを特徴とする、ヘッド交換可能なエコロジー歯ブラシとしている。
請求項４の考案は、前記弾性部上に位置決め凸塊が設けられ、ヘッドとハンドルが一体に組み合わされてハンドル前端の接続部がヘッドの接続孔に挿入される時、該弾性部上の位置決め凸塊がヘッドの接続孔に設けられた位置決め孔に係合し位置決めを達成し、並びにヘッドの毛が変形、損壊して新しいヘッドに交換する時、位置決め凸塊を押圧してそれを内縮させ位置決め孔より離脱させれば、ヘッドを取り外して交換できることを特徴とする、請求項３記載のヘッド交換可能なエコロジー歯ブラシとしている。
請求項５の考案は、ヘッドとハンドルで構成されたヘッド交換可能なエコロジー歯ブラシにおいて、
歯ブラシのハンドルの前端に、一組の弾性を具えた接続部が設けられ、並びにヘッドの、ハンドル前端の接続部に対応する位置に、前述の接続部が挿入される接続孔が設けられ、ヘッドとハンドルが挿嵌方式で一体に組み合わされることを特徴とする、ヘッド交換可能なエコロジー歯ブラシとしている。
請求項６の考案は、前記一組の弾性を具えた接続部に、それぞれ位置決め凸塊が設けられ、ヘッドとハンドルが一体に組み合わされてハンドル前端の接続部がヘッドの接続孔に挿入される時、該一組の弾性を具えた接続部に設けられた位置決め凸塊がヘッドの接続孔に設けられた位置決め孔に係合し、位置決めを達成し、並びにヘッドの毛が変形、損壊して新しいヘッドに交換する時、位置決め凸塊を押圧してそれを内縮させ位置決め孔より離脱させれば、ヘッドを取り外して交換できることを特徴とする、請求項５に記載のヘッド交換可能なエコロジー歯ブラシとしている。
【考案の効果】
【０００５】
本考案は交換可能なヘッド設計により、ヘッドを交換可能で、環境汚染を減らし、費用を節約できるエコロジー歯ブラシを提供している。
【考案を実施するための最良の形態】
【０００６】
図１、２、３を参照されたい。本考案のヘッド交換可能なエコロジー歯ブラシは、歯ブラシ１のハンドル１１の前端に、ネジ部１１１が設けられ、並びにヘッド１２の、ハンドル１１の前端のネジ部１１１に対応する位置に、ネジ孔１２１が設けられ、ヘッド１２とハンドル１１が螺接方式で一体に組合わされ、並びにヘッド１２の毛が変形或いは損壊した時、新しいヘッド１２に交換できるものとされる。且つヘッド１２のネジ孔１２１の孔口及びハンドル１１前端のネジ部１１１両側のフランジ面１１２上に、相互に対応する位置決め凸部１２２と位置決め凹部１１３が設けられ、ヘッド１２とハンドル１１が螺接後に位置決め凸部１２２と位置決め凹部１１３の組合せにより、ヘッド１２が位置決めされて脱落を発生せず、これによりヘッドを交換可能で、環境汚染を減らし、費用を節約できるエコロジー歯ブラシが達成される。
【０００７】
図４及び図５に示されるように、本考案の第２実施例によると、歯ブラシ２のハンドル２１の前端に、中央に弾性部２１２を具えた接続部２１１が設けられ、並びにヘッド２２の、ハンドル２１前端の接続部２１１に対応する位置に、前述の接続部２１１が挿入される接続孔２２１が設けられ、ヘッド２２とハンドル２１が挿嵌方式で一体に組み合わされ、また該弾性部２１２に、位置決め凸塊２１３が設けられ、ヘッド２２とハンドル２１が一体に組み合わされてハンドル２１前端の接続部２１１がヘッド２２の接続孔２２１に挿入される時、弾性部２１２上の位置決め凸塊２１３がヘッド２２の接続孔２２１に設けられた位置決め孔２２２に係合し位置決めの目的を達成し、並びにヘッド２２の毛が変形、損壊した時に、新しいヘッド２２に交換する時、位置決め凸塊２１３を押圧してそれを内縮させ位置決め孔２２２より離脱させれば、ヘッド２２を取り外して交換できる。
【０００８】
図６及び図７は本考案の第３実施例を示す。この実施例によると、歯ブラシ３のハンドル３１の前端に、一組の弾性を具えた接続部３１１が設けられ、並びにヘッド３２の、ハンドル３１前端の接続部３１１に対応する位置に、前述の接続部３１１が挿入される接続孔３２１が設けられ、ヘッド３２とハンドル３１が挿嵌方式で一体に組み合わされ、またこの一組の弾性を具えた接続部３１１に、それぞれ位置決め凸塊３１２が設けられ、ヘッド３２とハンドル３１が一体に組み合わされてハンドル３１前端の接続部３１１がヘッド３２の接続孔３２１に挿入される時、該一組の弾性を具えた接続部３１１に設けられた位置決め凸塊３１２がヘッド３２の接続孔３２１に設けられた位置決め孔３２２に係合し、位置決めの目的を達成し、並びにヘッド３２の毛が変形、損壊した時に、新しいヘッド３２に交換する時、位置決め凸塊３１３を押圧してそれを内縮させ位置決め孔３２２より離脱させれば、ヘッド３２を取り外して交換できる。
【０００９】
総合すると、本考案はヘッドを交換可能で、環境汚染を減らし、費用を節約する目的を達成し、新規性、進歩性及び産業上の利用価値を有し、実用新案登録の要件を具備している。
【図面の簡単な説明】
【００１０】
【図１】本考案の好ましい実施例の立体分解図である。
【図２】本考案の組合せ立体図である。
【図３】本考案の組合せ局部断面図である。
【図４】本考案の第２実施例の立体分解図である。
【図５】本考案の第２実施例の組合せ局部断面図である。
【図６】本考案の第３実施例の立体分解図である。
【図７】本考案の第３実施例の組合せ局部断面図である。
【符号の説明】
【００１１】
１、２、３  歯ブラシ
１１、２１、３１  ハンドル
１１１  ネジ部
１１２  フランジ面
１１３  位置決め凹部
１２、２２、３２  ヘッド
１２１  ネジ孔
１２２  位置決め凸部
２１１、３１１  接続部
２１２  弾性部
２１３、３１２  位置決め凸塊
２２１、３２１  接続孔
２２２、３２２  位置決め孔
【図１】
0003136872.tif 000003
【図２】
0003136872.tif 000004
【図３】
0003136872.tif 000005
【図４】
0003136872.tif 000006
【図５】
0003136872.tif 000007
【図６】
0003136872.tif 000008
【図７】
0003136872.tif 000009